(57)【要約】【課題】  大腿部への施療感と同等またはそれ以上の施療感を臀部に対して付与できる椅子式マッサージ機を提供する。【解決手段】  座部２、肘掛け部３、背凭れ部４を備えた椅子本体１ａを有し、椅子本体１ａに腰掛けた使用者に臨む肘掛け部３の内面に、使用者の大腿部を外側面から押圧してマッサージを施す大腿部施療部５、使用者の臀部を外側面から押圧してマッサージを施す臀部施療部６を前方から後方に順に並設してなる椅子式マッサージ機１である。前後に並設した大腿部施療部５と臀部施療部６とを一体の袋体７で形成する。大腿部施療部５を構成する上記袋体７の大腿部用袋構成部７ａのみを椅子本体１ａに固定して拘束状態にする。臀部施療部６を構成する上記袋体７の臀部用袋構成部７ｂを非拘束状態にする。【選択図】        図１
2005349135.tif 000002
【特許請求の範囲】
【請求項１】
座部、肘掛け部、背凭れ部を備えた椅子本体を有し、椅子本体に腰掛けた使用者に臨む肘掛け部の内面に、使用者の大腿部を外側面から押圧してマッサージを施す大腿部施療部、使用者の臀部を外側面から押圧してマッサージを施す臀部施療部を前方から後方に順に並設してなる椅子式マッサージ機において、前後に並設した大腿部施療部と臀部施療部とを一体の袋体で形成し、大腿部施療部を構成する上記袋体の大腿部用袋構成部のみを椅子本体に固定して拘束状態にし、臀部施療部を構成する上記袋体の臀部用袋構成部を非拘束状態にしたことを特徴とする椅子式マッサージ機。
【請求項２】
上記袋体の前後中央部に内部空間を狭めたくびれ部を設け、このくびれ部にて大腿部用袋構成部と臀部用袋構成部とを区分けしたことを特徴とする請求項１記載の椅子式マッサージ機。
【請求項３】
同一のカバーで座部と袋体とを被覆し、このカバーのうち、座部を被覆する座部被覆部と袋体の大腿部用袋構成部を被覆する大腿部被覆部とを連なるように形成すると共に、座部を被覆する座部被覆部と袋体の臀部用袋構成部を被覆する臀部被覆部とを分断するように形成したことを特徴とする請求項１記載の椅子式マッサージ機。
【請求項４】
上記袋体をカバーで被覆し、袋体の臀部用袋構成部を被覆するカバーの臀部被覆部に、使用者のツボを局所的に押圧する押圧体を上下前後に移動可能に設けたことを特徴とする請求項１記載の椅子式マッサージ機。
【請求項５】
上記袋体を内外に層状に重ねて配設し、各袋体毎にカバーを被覆したことを特徴とする請求項１記載の椅子式マッサージ機。
【発明の詳細な説明】
【技術分野】
【０００１】
本発明は、椅子式マッサージ機に関するものである。
【背景技術】
【０００２】
従来から、座部２、肘掛け部３、背凭れ部４を備えた椅子本体１ａを有する椅子式マッサージ機１において、椅子本体１ａに腰掛けた使用者の大腿部や臀部に対して外側面から押圧してマッサージを施すようなマッサージ手段を備えたものは、たとえば図７のように広く知られている（たとえば、特許文献１参照）。
【０００３】
この図７の椅子式マッサージ機１にあっては、椅子本体１ａに腰掛けた使用者に臨む肘掛け部３の内面における前部に大腿部を外側から押圧する大腿部用空気袋５ａが配設され、またこの肘掛け部３の内面における後部に臀部を外側から押圧する臀部用空気袋６ａが配設されている。詳しくは、この大腿部用空気袋５ａや臀部用空気袋６ａは、椅子式マッサージ機１の構成の簡略化を図って同一の空気袋で各々構成されており、空気袋への空気の給排によって空気袋の膨縮が行われ、膨張した空気袋で使用者の大腿部や臀部への押圧が行われている。なお、図示はしないが、椅子式マッサージ機１の構成の更なる簡略化を図って、大腿部用空気袋５ａと臀部用空気袋６ａとを同一の袋体７で構成することもある。
【０００４】
ところで、一般的な人体の形状としては臀部に比べて大腿部に多くの肉が付いており、しかして、椅子本体１ａに使用者が腰掛けたときには一般的に臀部に比べ大腿部が幅外方向に突出する。したがって、上述のように大腿部用空気袋５ａや臀部用空気袋６ａが同一形状に膨張する椅子式マッサージ機１では、臀部に比べて大腿部への押圧が強く行われることとなり、裏を返せば臀部への押圧が大腿部に比べて弱くなり、使用者に満足な施療感を与えることができなかった。
【特許文献１】特開２００３−３１９９９０号公報
【発明の開示】
【発明が解決しようとする課題】
【０００５】
本発明は上記の従来の問題点に鑑みて発明したものであって、大腿部への施療感と同等またはそれ以上の施療感を臀部に対して付与できる椅子式マッサージ機を提供することを課題とするものである。
【課題を解決するための手段】
【０００６】
上記課題を解決するために本発明の請求項１に係る椅子式マッサージ機は、座部２、肘掛け部３、背凭れ部４を備えた椅子本体１ａを有し、椅子本体１ａに腰掛けた使用者に臨む肘掛け部３の内面に、使用者の大腿部を外側面から押圧してマッサージを施す大腿部施療部５、使用者の臀部を外側面から押圧してマッサージを施す臀部施療部６を前方から後方に順に並設してなる椅子式マッサージ機１において、前後に並設した大腿部施療部５と臀部施療部６とを一体の袋体７で形成し、大腿部施療部５を構成する上記袋体７の大腿部用袋構成部７ａのみを椅子本体１ａに固定して拘束状態にし、臀部用空気袋６ａを構成する上記袋体７の臀部用袋構成部７ｂを非拘束状態にしたことを特徴とする。これによると、製造の簡略化を期して一体の袋体７で大腿部施療部５と臀部施療部６とを形成しても、袋体７の大腿部用袋構成部７ａを椅子本体１ａに固定させて拘束状態にし、袋体７の臀部用袋構成部７ｂを非拘束状態にするといった簡単な構成で、袋体７を膨張させたときには、非拘束状態にある臀部用袋構成部７ｂの膨縮の形状変化の具合を拘束状態にある大腿部用袋構成部７ａに比べて大きくすることができるのであり、つまり臀部への押圧を大腿部への押圧よりも強く行わせることができ、したがって大腿部に比べて弱くなりがちだった臀部への押圧を強くすることができ、大腿部への施療感と同等またはそれ以上の施療感を臀部に対して付与できる。
【０００７】
また、請求項２に係る椅子式マッサージ機は、請求項１において、上記袋体７の前後中央部に内部空間を狭めたくびれ部７ｃを設け、このくびれ部７ｃにて大腿部用袋構成部７ａと臀部用袋構成部７ｂとを区分けしたことを特徴とする。これによると、袋体７の膨縮動作を大腿部用袋構成部７ａと臀部用袋構成部７ｂとで明確に区分けすることができ、臀部への施療感の向上に資することができる。
【０００８】
また、請求項３に係る椅子式マッサージ機は、請求項１において、同一のカバー８で座部２と袋体７とを被覆し、このカバー８のうち、座部２を被覆する座部被覆部８ｃと袋体７の大腿部用袋構成部７ａを被覆する大腿部被覆部８ａとを連なるように形成すると共に、座部２を被覆する座部被覆部８ｃと袋体７の臀部用袋構成部７ｂを被覆する臀部被覆部８ｂとを分断するように形成したことを特徴とする。これによると、袋体７の大腿部用袋構成部７ａはカバー８によって拘束状態に、袋体７の臀部用袋構成部７ｂはカバー８による拘束を受けずに非拘束状態にでき、つまり大腿部用袋構成部７ａと臀部用袋構成部７ｂとの拘束度合いの差を更に大きくすることができて、大腿部に比べて臀部への施療感をより強くすることができる。
【０００９】
また、請求項４に係る椅子式マッサージ機は、請求項１において、上記袋体７をカバー８で被覆し、袋体７の臀部用袋構成部７ｂを被覆するカバーの臀部被覆部８ｂに、使用者のツボを局所的に押圧する押圧体９を上下前後に移動可能に設けたことを特徴とする。これによると、臀部用袋構成部７ｂの膨張に伴なって押圧体９を臀部のツボに押圧することができ、更に臀部への施療感を強くすることができる。また、押圧体９は上下前後に移動可能に設けられるから、使用者に合わせた効果的なツボ押しができる。
【００１０】
また、請求項５に係る椅子式マッサージ機は、請求項１において、上記袋体７を内外に層状に重ねて配設し、各袋体７毎にカバー８を被覆したことを特徴とする。これによると、内外に隣接する袋体７の隙間Ｓに手先を挿入することで、指、手の甲、てのひらに対してマッサージを施すことができる。
【発明の効果】
【００１１】
本発明は、製造の簡略化を期して一体の袋体で大腿部施療部と臀部施療部とを形成しても、袋体の大腿部用袋構成部を椅子本体に固定させて拘束状態にし、袋体の臀部用袋構成部を非拘束状態にするといった簡単な構成で、大腿部への施療感と同等またはそれ以上の施療感を臀部に対して付与できるという利点を有している。
【発明を実施するための最良の形態】
【００１２】
以下、本発明を添付図面に示す実施形態に基いて説明する。
【００１３】
図１乃至図３に本発明の実施の形態の例を示す。本例の椅子式マッサージ機１は、図２のように、座部２、脚載せ部１０、肘掛け部３、背凭れ部４からなる椅子本体１ａを有して構成されている。ここで、座部２は設置面に設置する本体部１１に載設されて使用者の臀部から大腿部を載せる部位であり、脚載せ部１０は座部２の前端部で上下に回動自在に配設されて使用者のふくらはぎを載せる部位であり、背凭れ部４は座部２の後端部で上下に回動自在に配設されて使用者の背中を凭れさせる部位であり、肘掛け部３は座部２の幅方向の側端部にそれぞれ配設されて使用者の肘を載せる部位である。この座部２、脚載せ部１０、肘掛け部３、背凭れ部４には、椅子本体１ａに腰掛けた使用者の身体各部に対してマッサージを施す施療部がそれぞれ設けられている。ここで、肘掛け部３の施療部は、椅子本体１ａに腰掛けた使用者に臨む肘掛け部３の内面に設けられ、椅子本体１ａに腰掛けた使用者の臀部や大腿部にその外側面からマッサージを施す部位であり、詳しくは、使用者の大腿部を外側面から押圧してマッサージを施す大腿部施療部５、使用者の臀部を外側面から押圧してマッサージを施す臀部施療部６とから構成されている。この大腿部施療部５や臀部施療部６は、この順で各肘掛け部３の前方から後方に並べて配設されている。本発明では、肘掛け部３の施療部の構成に工夫を施し、従来大腿部に比べて弱くなりがちだった臀部への押圧を強くし、臀部の施療感を向上させている。以下、詳述する。
【００１４】
大腿部施療部５及び臀部施療部６は、肘掛け部３の施療部における構成の簡略化を図って、肘掛け部３の内面に沿わせて配設された袋体７で一体に形成されている。この袋体７にはポンプ（図示せず）や排気弁１２を配設した空気供給管１３が接続され、ポンプにて空気が袋体７に供給されたときには袋体７が膨張し、排気弁１２を開けたときには袋体７から空気が抜けて縮小する。袋体７の膨縮を行うためのポンプの駆動制御や排気弁１２の開閉制御は椅子本体１ａに配設された操作部に接続された制御部によって行われる。ところで、この袋体７は、その前後中央部に内部空間を狭めたくびれ部７ｃが設けられ、くびれ部７ｃの前側の袋体７の部位を大腿部施療部５を構成させる大腿部用袋構成部７ａとし、くびれ部７ｃの後側の袋体７の部位を臀部施療部６を構成させる臀部用袋構成部７ｂとして形成されている。つまり、袋体７はくびれ部７ｃを境にして大腿部用袋構成部７ａと臀部用袋構成部７ｂとが前後に区分された構造とされている。しかして、袋体７の膨縮は大腿部用袋構成部７ａと臀部用袋構成部７ｂとで明確に区分できるようにされている。
【００１５】
この袋体７は左右の肘掛け部３の各内面にそれぞれ配設されるが、これは図１のように、袋体７の大腿部用袋構成部７ａの前後端部から垂設した一対の支持材１４を、椅子本体１ａに固定した縦断面Ｌ字状の取付体１５にビス止めすることで行われている。詳しくは、取付体１５は、大腿部用袋構成部７ａの前後長さと略同様の前後長さを有し、椅子本体１ａの本体部１１に載置固定される水平片状の底片１５ａと、該底片１５ａの幅方向における外縁部から上方に突設した縦片１５ｂとで形成されている。そして、袋体７の取付体１５への取付けは、取付体１５の縦片１５ｂの前後端部の下端部に穿孔した貫通孔１５ｃと袋体７を取着した支持材１４の下端に穿孔した貫通孔１４ａとを連通し、これら各貫通孔１４ａ，１５ｃにビス１６を挿入してナット１７を締結させることで行われ、このとき袋体７の大腿部用袋構成部７ａが縦片１５ｂの内面に添うように配設される（図５参照）。
【００１６】
このように、肘掛け部３の内面に袋体７を配設するには、袋体７の大腿部用袋構成部７ａを椅子本体１ａに固定することで行われている。つまり、肘掛け部３の内面に配設した袋体７にあっては、大腿部用袋構成部７ａのみが椅子本体１ａに固定されて拘束状態とされており、臀部用袋構成部７ｂは椅子本体１ａに固定されなくて非拘束状態にあるようにされている。つまり、袋体７を膨張させたときには、拘束状態にある大腿部用袋構成部７ａに比べて、非拘束状態にある臀部用袋構成部７ｂの方が、椅子本体１ａに拘束されない分、膨縮の形状変化の具合が大きくなるようにされている。たとえば、図１のように、大腿部用袋構成部７ａは座部２の幅方向内方のみに膨縮変化するだけであるが（矢印Ａ参照）、臀部用袋構成部７ｂは幅方向内方のみならず水平且つ前方へも自由に膨縮変化することが可能にされている（矢印Ｂ参照）。このように、本例の椅子式マッサージ機１では、臀部への押圧を大腿部への押圧よりも強く行わせることができ、つまり従来大腿部に比べて弱くなりがちだった臀部への押圧を強くすることができ、大腿部への施療感と同等またはそれ以上の施療感を臀部に対して付与できるようになっているのである。
【００１７】
なお、上記のように肘掛け部３の内面に配設した袋体７は、図２，３のように、取付体１５の縦片１５ｂと一緒に布地のカバー８でその全体を被覆することで、肘掛け部３の施療部が形成されているのであるが、このカバー８によっても上記臀部への施療感向上に資するようにされている。本例の場合、カバー８としては袋体７と共に座部２をも被覆するものが用いられている。そして、このカバー８は、座部２を被覆する座部被覆部８ｃと袋体７の大腿部用袋構成部７ａを被覆する大腿部被覆部８ａとを連なるように形成してあり、座部２を被覆する座部被覆部８ｃと袋体７の臀部用袋構成部７ｂを被覆する臀部被覆部８ｂとを分断するように形成してある。しかして、このカバー８によると、袋体７の大腿部用袋構成部７ａは座部２（ひいては椅子本体１ａ）に対して拘束状態にされており、袋体７の臀部用袋構成部７ｂはカバー８による拘束を受けずに非拘束状態にされているのである。したがって、上述のように袋体７の大腿部用袋構成部７ａのみを椅子本体１ａに固定することで得られた大腿部用袋構成部７ａと臀部用袋構成部７ｂとの拘束度合いの差は、上記カバー８によって更に大きくすることができ、これにより、大腿部に比べて臀部への施療感をより強くすることが可能とされているのである。なお、肘掛け部３の施療部を形成するのに座部２と袋体７とを同一のカバー８で被覆したことで、椅子式マッサージ機１の外観を向上できるのは勿論、複数枚のカバー８の縫合わせを回避して製造の簡略化や製造コストの低廉化が図られる、袋体７と座部２との間に手などを挿入してもこの手を本体部１１まで至らしめる危険性を排除できる、といった利点もある。
【００１８】
また、図４のように、袋体７を被覆したカバー８と袋体７の臀部用袋構成部７ｂの内面との間に、使用者のツボを局所的に押圧する押圧体９を上下前後に移動可能に介装することで、臀部施療部６に押圧体９を配設することも好ましい。具体的には、カバー８の臀部被覆部８ｂの袋体７の内面に対向する裏面にポケット１８が設けられ、上記押圧体９はこのポケット１８内に上下前後に移動可能な状態で収納されている。ここで、上記ポケット１８は伸縮性を有する布材で袋体７の上端位置から袋体７の上下中央位置に亙ってカバー８の裏面に重ねるようにして形成されており、また上記押圧体９は座部２の幅方向内方に突の半球形状の弾性体で構成されている。しかして、ポケット１８に収納した押圧体９は、ポケット１８を形成する伸縮性布材とカバー８の裏面とで挟持されて、ポケット１８内の適宜位置に位置決め配置されるのである。このように臀部施療部６に押圧体９を配設したことで、袋体７の臀部用袋構成部７ｂの膨張に伴って押圧体９を臀部のツボに押圧するようにでき、臀部への施療感を更に強くすることができるのである。なお、押圧体９はカバー８のポケット１８内で上下前後に移動可能に配設されているから、押圧体９をカバー８ごしに摘んでその配設位置をずらすことができ、使用者の体格や意思に合わせて使用者の臀部に効果的なツボ押しマッサージを施すことができるのである。
【００１９】
また、図５，６のように、肘掛け部３の施療部を複数枚の袋体７を内外に層状に重ねて配設して構成し、各袋体７毎にカバー８を被覆させたことも好ましい。本例では図５のように２枚の袋体７を取付体１５の縦片１５ｂの内方に重ねるようにして配設している。そして、各袋体７との間に上方に開口する隙間Ｓを形成するように各袋体７毎にカバー８を被覆させている。このカバー８は各袋体７と座部２とを一体に被覆するものでも、各袋体７を個別に被覆したカバー８と座部２を被覆したカバー８とを縫い合わせたものでもよいが、カバー８の各袋体７を被覆する部位とカバー８の座部被覆部８ｃとの連結は大腿部被覆部８ａのみで行われており、つまりカバー８の臀部被覆部８ｂは座部被覆部８ｃには連結されないようになっており、カバー８によって袋体７の臀部用袋構成部７ｂの膨縮の自由度が妨げられないようにされている。このように肘掛け部３の施療部を複数枚の袋体７を内外に層状に重ねて配設して構成し、各袋体７毎にカバー８を被覆させたことで、図６の矢印Ｃのように、内外に隣接する袋体７の隙間Ｓに手先を挿入することで、指、手の甲、てのひらに対してマッサージを施すことができるのであり、簡単な構成で椅子式マッサージ機１のマッサージ機能の充実を図ることができるのである。なお、各袋体７を被覆するカバー８同士は各大腿部被覆部８ａで連結しているのであり、また肘掛け部３の施療部にあって各袋体７の臀部用袋構成部７ｂは座部２の上方位置に位置するようにされている。しかして、内外に隣接する袋体７の隙間Ｓに使用者が手先を下方に深く挿入しても、各袋体７を被覆するカバー８の連結部位や座部２の上面によって手先の下方への進行が阻止されるのであり、この手先が袋体７の取付体１５への取付部位や本体部１１までに挿入されてしまうことが防止され、椅子式マッサージ機１の安全性の確保も為されている。
【図面の簡単な説明】
【００２０】
【図１】本発明の実施の形態の例の要部の斜視図である。
【図２】同上の椅子式マッサージ機の全体斜視図である。
【図３】同上の肘掛け部の施療部付近の斜視図である。
【図４】本発明の実施の形態の他例の要部の縦断面図である。
【図５】本発明の実施の形態の更に他例の要部の分解斜視図である。
【図６】同上の肘掛け部の施療部付近の斜視図である。
【図７】背景技術の一例の椅子式マッサージ機の全体斜視図である。
【符号の説明】
【００２１】
１  椅子式マッサージ機
２  座部
３  肘掛け部
４  背凭れ部
５  大腿部施療部
６  臀部施療部
７  袋体
７ａ  大腿部用袋構成部
７ｂ  臀部用袋構成部
７ｃ  くびれ部
８  カバー
８ａ  大腿部被覆部
８ｂ  臀部被覆部
８ｃ  座部被覆部
９  押圧体
【図１】
2005349135.tif 000003
【図２】
2005349135.tif 000004
【図３】
2005349135.tif 000005
【図４】
2005349135.tif 000006
【図５】
2005349135.tif 000007
【図６】
2005349135.tif 000008
【図７】
2005349135.tif 000009